(57)【要約】【課題】陽極ドライバ回路における定電流駆動回路を不要とする表示パネル駆動装置を提供する。【解決手段】表示パネル各ライン走査時の発光タイミングにおいて発光カラムを開放し、発光素子の有する寄生容量を利用して非走査素子の合成寄生容量から走査素子へのリーク電流を走査素子の発光電流とする。１ラインについて複数回の走査を繰り返し、その繰り返し回数に応じて階調制御を行うようにしても良い。【選択図】　図２
2004138978.tif 000002
【特許請求の範囲】
【請求項１】
容量性発光素子を挟んで互いに交叉して設けられた複数の列電極と複数の行電極とからなる表示パネルと、
その一周期内にリセットタイミングと発光タイミングとを含むライン同期パルスに同期して前記列電極の各々を画像データに応じて駆動する列電極駆動回路と、
前記ライン同期パルスに同期して前記行電極を順次選択して所定の電位を供給する行電極駆動回路とを備え、
前記列電極駆動回路は、前記リセットタイミングにおいて前記列電極の各々に第１のリセット電位を供給し、前記発光タイミングにおいて前記列電極のうちの前記画像データに基づく発光列電極を開放しかつ前記列電極のうちの非発光分については非発光制御電位を供給し、
前記行電極駆動回路は、前記リセットタイミングにおいて前記行電極の各々に第２のリセット電位を供給し、前記発光タイミングにおいて前記行電極を択一的に選択して選択電位を供給しかつ前記行電極のうちの非選択分については非選択電位を供給することを特徴とする表示パネル駆動装置。
【請求項２】
前記第１乃至第２のリセット電位、前記非発光制御電位、及び前記選択電位はアース電位であり、
前記非選択電位は、前記発光素子の逆バイアス電位であることを特徴とする請求項１に記載の表示パネル駆動装置。
【請求項３】
前記ライン同期パルス信号は、その一周期内に複数のリセットタイミングと発光タイミングとを含み、前記一周期内に含まれるリセットタイミングと発光タイミングの繰り返し回数が階調指令に応じて調整されることを特徴とする請求項１又は請求項２に記載の表示パネル駆動装置。
【請求項４】
前記列電極駆動回路は、列電極毎に前記画像データに応じて開閉されるスイッチ素子と前記列電極の各々に供給される所定電位を制限する抵抗素子とを含み、前記抵抗素子の抵抗値が階調指令に応じて調整されることを特徴とする請求項１又は請求項２に記載の表示パネル駆動装置。
【請求項５】
前記発光素子は、有機ＥＬ素子であることを特徴とする請求項１乃至請求項４の何れか１つに記載の表示パネル駆動装置。
【請求項６】
容量性発光素子を挟んで互いに交叉して設けられた複数の列電極と複数の行電極とからなる表示パネルを、その一周期内にリセットタイミングと発光タイミングとを含むライン同期パルスに基づいて駆動する表示パネル駆動方法であって、
前記リセットタイミングにおいて前記列電極の各々に第１のリセット電位を供給し、前記行電極の各々に第２のリセット電位を供給する第１のステップと、
前記発光タイミングにおいて前記列電極のうちの画像データに基づく発光列電極を開放しかつ前記列電極のうちの非発光分については非発光制御電位を供給し、前記行電極を択一的に選択して選択電位を供給しかつ前記行電極のうちの非選択分については非選択電位を供給する第２のステップと、を含むことを特徴とする表示パネル駆動方法。
【発明の詳細な説明】
【０００１】
【発明の属する技術分野】
本発明は、例えば表示パネルの駆動装置等に関する。
【０００２】
【従来の技術】
従来、有機ＥＬ素子を用いた表示パネルは、パネル上にマトリクス状に敷設された有機ＥＬ素子を、陽極ドライバ及び陰極ドライバの各ドライバ回路を用いて発光させる構成となっている（例えば、特許文献１乃至３を参照）。
一般に、これらのドライバ回路は、装置の小型化を図るべく、通常１チップのＩＣによって構成されることが多い。なお、以下の記載において表示パネルの列電極をカラムと称し、カラム電極を駆動するドライバ回路を陽極ドライバＩＣと呼称する。また、行電極をラインと称し、ライン電極を駆動する回路を陰極ドライバＩＣと呼称する。
【０００３】
従来の複数のラインと複数のカラムから成る、いわゆる単純マトリクス構成による有機ＥＬ表示パネル、及びその駆動回路の構成を図１に示す。
同図において、有機ＥＬ表示パネル１には、有機ＥＬ素子ＥＬＤが（ｎライン×ｍカラム）のマトリクス状に敷設されている。
有機ＥＬ素子は、有機ＥＬ発光層をアノード電極とカソード電極で挟持する構成となっており、通常のダイオードと同様に整流特性を有している。また、有機ＥＬ素子は、有機ＥＬ発光層において寄生容量を有するため、図１に示される如く、各々の有機ＥＬ素子ＥＬＤには寄生容量Ｃが等価的に並列に接続されることになる。表示パネルのマトリクスを構成する各々の有機ＥＬ素子のアノード電極は、マトリクスの各カラム毎に集線されて陽極ドライバＩＣ２に接続される。また、カソード電極は、マトリクスの各ライン毎に集線されて陰極ドライバＩＣ３に接続される。
【０００４】
陽極ドライバＩＣ２は、スイッチ素子Ｓａ１からＳａｍ、及び各々のスイッチ素子毎に定電流駆動回路ＣＣｇとプルダウン抵抗Ｒａを含む構成となっている。スイッチ素子Ｓａ１からＳａｍは、表示パネルの各々のカラムに対応し、制御回路（図示せず）から供給される陽極ドライバ制御信号によってその切換動作が制御される。また、定電流駆動回路ＣＣｇは、例えば、ＰＭＯＳ−ＦＥＴを出力段トランジスタとする定電流駆動回路であり、陽極ドライバ電源回路（図示せず）から供給される電圧Ｖａに基づいて負荷となる有機ＥＬ素子に定電流信号を供給する。なお、プルダウン抵抗Ｒａはアースに接続されている。
【０００５】
一方、陰極ドライバＩＣ３は、スイッチ素子Ｓｃ１からＳｃｎ、及び各々のスイッチ素子毎にプルアップ抵抗Ｒｃ、及びプルダウン抵抗Ｒｇを含む構成となっている。スイッチ素子Ｓｃ１からＳｃｎは、表示パネルの各々のラインに対応し、制御回路から供給される陰極ドライバ制御信号によってその切換動作が制御される。プルアップ抵抗Ｒｃは、陰極ドライバ電源回路（図示せず）から供給される電圧Ｖｃに接続されており、プルダウン抵抗Ｒｇはアースに接続されている。
【０００６】
次に、図１に示す回路の動作を説明する。先ず、陽極ドライバ制御信号に含まれるライン同期パルス中のリセットタイミングに同期して、全寄生容量における残留電荷の一様化を図るべく、陽極ドライバＩＣ２及び陰極ドライバＩＣ３の全てのスイッチ素子が各々のプルダウン抵抗側に切り換えられる。
その後の発光タイミングにおいて、陰極ドライバＩＣ３では所定の走査ラインのスイッチ素子が択一的に選択されてその切換動作が維持される。一方、その他の非走査ラインのスイッチ素子は、プルアップ抵抗Ｒｃ側に切り換えられる。また、陽極ドライバＩＣ２においては、各スイッチ素子が制御回路から供給される画像データ信号に応じて切り換えられ、発光カラムには定電流回路ＣＣｇが接続され、非発光カラムはプルダウン抵抗Ｒａを介してアースに接続される。
【０００７】
図１の回路では、具体的に２ライン目が走査ラインとして選択されて接地され、１カラム目とｍカラム目が発光カラムとして定電流回路ＣＣｇに接続されている。それ故、これらのカラムとラインとの交点にある有機ＥＬ素子のアノードからカソードに駆動電流が流れて、図１の有機ＥＬ表示パネル１の中で白地で示す有機ＥＬ素子が発光する。
【０００８】
以上説明したように、従来の表示パネル駆動装置においては、陽極ドライバＩＣ２の各カラム毎に定電流駆動回路ＣＣｇを設ける必要がある。それ故、当該ＩＣの構造が複雑となり、その小型化及び低コスト化が困難であった。また、発光カラムには、常にかかる定電流回路から電流供給が為されるため、ＩＣ全体の消費電力が増加するという問題もあった。
【０００９】
【特許文献１】
特開２０００−４００７４号公報
【００１０】
【特許文献２】
特開２００１−３５０４３１号公報
【００１１】
【特許文献３】
特開平０６−３０１３５５号公報
【００１２】
【発明が解決しようとする課題】
従って、本発明が解決しようとする課題には上述した問題が一例として挙げられる。
【００１３】
【課題を解決するための手段】
請求項１に記載の表示パネル駆動装置は、容量性発光素子を挟んで互いに交叉して設けられた複数の列電極と複数の行電極とからなる表示パネルと、その一周期内にリセットタイミングと発光タイミングとを含むライン同期パルスに同期して前記列電極の各々を画像データに応じて駆動する列電極駆動回路と、前記ライン同期パルスに同期して前記行電極を順次選択して所定の電位を供給する行電極駆動回路とを備え、
前記列電極駆動回路は、前記リセットタイミングにおいて前記列電極の各々に第１のリセット電位を供給し、前記発光タイミングにおいて前記列電極のうちの前記画像データに基づく発光列電極を開放しかつ前記列電極のうちの非発光分については非発光制御電位を供給し、前記行電極駆動回路は、前記リセットタイミングにおいて前記行電極の各々に第２のリセット電位を供給し、前記発光タイミングにおいて前記行電極を択一的に選択して選択電位を供給しかつ前記行電極のうちの非選択分については非選択電位を供給することを特徴とする。
【００１４】
また、請求項６に記載の表示パネル駆動方法は、容量性発光素子を挟んで互いに交叉して設けられた複数の列電極と複数の行電極とからなる表示パネルを、その一周期内にリセットタイミングと発光タイミングとを含むライン同期パルスに基づいて駆動する表示パネル駆動方法であって、
前記リセットタイミングにおいて前記列電極の各々に第１のリセット電位を供給し、前記行電極の各々に第２のリセット電位を供給する第１のステップと、前記発光タイミングにおいて前記列電極のうちの画像データに基づく発光列電極を開放しかつ前記列電極のうちの非発光分については非発光制御電位を供給し、前記行電極を択一的に選択して選択電位を供給しかつ前記行電極のうちの非選択分については非選択電位を供給する第２のステップとを含むことを特徴とする。
【００１５】
【発明の実施の形態】
本発明を適用した表示パネル駆動装置の第１の実施例として、発光素子に有機ＥＬ素子を用いた有機ＥＬ表示パネル駆動装置を図２のブロック図に示す。
同図において、表示パネルとしての有機ＥＬ表示パネル１０には、有機ＥＬ素子ＥＬＤが（ｎライン×ｍカラム）のマトリクス状に敷設されている。
【００１６】
有機ＥＬ素子は、有機ＥＬ発光層を列電極としてのアノード電極と、行電極としてのカソード電極で挟持する構成となっており、通常のダイオードと同様に整流特性を有している。また、有機ＥＬ素子は、有機ＥＬ発光層において寄生容量を有するため、図２に示される如く、各々の有機ＥＬ素子ＥＬＤには寄生容量Ｃが等価的に並列接続されることになる。
【００１７】
表示パネルのマトリクスを構成する各々の有機ＥＬ素子のアノード電極は、マトリクスの各カラム毎に集線されて、列電極駆動回路としての陽極ドライバＩＣ２０に接続される。また、各々のカソード電極は、マトリクスの各ライン毎に集線されて、行電極駆動回路としての陰極ドライバＩＣ３０に接続される。
陽極ドライバＩＣ２０は、スイッチ素子Ｓａ１からＳａｍ、及び各々のスイッチ素子毎にプルアップ抵抗Ｒａ０，Ｒｓａを含む構成となっている。スイッチ素子Ｓａ１からＳａｍは、表示パネルの各々のカラムに対応し、制御回路（図示せず）から供給される陽極ドライバ制御信号によってその切換動作が制御される。なお、図２に示す如く、各々のスイッチ素子はいわゆる中立切換位置を有し、スイッチ素子がかかる位置に切り換えられたとき、当該スイッチ素子に接続されているカラムはオープンの状態になる。また、プルアップ抵抗Ｒａ０、Ｒｓａは、陽極ドライバ電源回路（図示せず）から供給される電圧Ｖａ０、Ｖａｓｃｎにそれぞれ接続されている。
【００１８】
一方、陰極ドライバＩＣ３０は、スイッチ素子Ｓｃ１からＳｃｎ、及び各々のスイッチ素子毎にプルアップ抵抗Ｒｃ０、Ｒｒｅ、及びＲｓｃを含む構成となっている。スイッチ素子Ｓｃ１からＳｃｎは、表示パネルの各々のラインに対応し、制御回路から供給される陰極ドライバ制御信号によってその切換動作が制御される。また、プルアップ抵抗Ｒｃ０、Ｒｒｅ、及びＲｓｃの各々は、陰極ドライバ電源回路（図示せず）から供給される電圧Ｖｃ０、Ｖｒｅｖ、及びＶｃｓｃｎの各々にそれぞれ接続されている。
【００１９】
次に、図２のブロック図に示される回路の動作を、図３に示す動作タイミングチャートを参照しつつ説明する。
図３のタイミングチャートにおいて、３Ａは、制御回路から各々のドライバＩＣに供給されるドライバ制御信号に含まれるライン同期パルスであり、かかるライン同期パルスの１周期内で表示パネルの１ライン分の発光動作が行われる。ライン同期パルスの１周期は、３Ａに示す如く、リセットタイミングと発光タイミングの２つの期間から構成されている。因みに、リセットタイミングとは、表示パネル上の各発光素子についての初期化処理が行われる期間であり、発光タイミングとは、所望の発光素子を実際に点灯させる処理が行われる期間である。
【００２０】
３Ｂは、陽極ドライバＩＣ２０から、表示パネルの各々のカラムへの出力の様子を示している。
また、３Ｃ，３Ｄは、陰極ドライバＩＣ３０から表示パネルの各々のラインへの出力の変化を表しており、３Ｃは選択された走査ラインの出力を、３Ｄは走査ライン以外の他の非走査ラインの出力をそれぞれ表している。
【００２１】
先ず、ライン同期パルスの１周期内において、ライン同期パルスに続くリセットタイミングが開始されると、陽極ドライバＩＣ２０、及び陰極ドライバＩＣ３０において、表示パネルの初期化処理がなされる。
初期化処理の具体的な内容は次の通りである。すなわち、陽極ドライバＩＣ２０のスイッチ素子Ｓａ１からＳａｍの全てがプルアップ抵抗Ｒａ０側に切り換えられ、表示パネルの全てのカラムに接続されている有機ＥＬ素子のアノード電位が電圧Ｖａ０にプルアップされる。これと同時に、陰極ドライバＩＣ３０のスイッチ素子Ｓｃ１からＳｃｎの全てがプルアップ抵抗Ｒｃ０側に切り換えられ、全てのラインに接続されている有機ＥＬ素子のカソード電位が電圧Ｖｃ０にプルアップされる。以上の処理によって、表示パネル上の全ての寄生容量Ｃにおける残留電荷の一様化が為されることになる。
【００２２】
その後、リセットタイミングが終了して発光タイミングに移行すると、陰極ドライバＩＣ３０は、走査ラインに該当するスイッチ素子を選択してプルアップ抵抗Ｒｓｃ側に切り換え、その他の非走査ラインのスイッチ素子をプルアップ抵抗Ｒｒｅ側に切り換える。これによって、走査ラインに接続された有機ＥＬ素子のカソードには電圧Ｖｃｓｃｎが供給され（図３Ｃ）、非走査ラインに接続された有機ＥＬ素子のカソードには電圧Ｖｒｅｖが供給される（図３Ｄ）。
【００２３】
一方、陽極ドライバＩＣ２０においては、発光タイミングへの移行に伴い、制御回路から供給される陽極ドライバ信号に含まれる画像データに基づいて、表示パネルの各々のカラムを制御する。即ち、陽極ドライバＩＣ２０において、発光カラムに該当するスイッチ素子がオフとされ、それ以外の非発光カラムについては、そのスイッチ素子がプルアップ抵抗Ｒｓａ側に切り換えられる。これによって、発光カラムに接続されている有機ＥＬ素子のアノードはオープンとなり、非発光カラムに接続されている有機ＥＬ素子のアノード電位は電圧Ｖａｓｃｎにプルアップされる（図３Ｂ）。
【００２４】
なお、電圧Ｖｃｓｃｎは、発光カラムのスイッチ素子オフ、つまり当該カラムに接続された発光素子のアノードの開放によって、発光素子に順方向電圧がかかるような値に設定されているものとし、電圧Ｖｒｅｖは、発光素子のアノードの開放によって、発光素子に逆方向電圧がかかるような値に設定されているものとする。
【００２５】
ところで、先のリセットタイミングにおける初期化処理によって、表示パネル上の全ての有機ＥＬ素子の寄生容量が充電されており、全ての有機ＥＬ素子のアノード電位はＶａ０、カソード電位はＶｃ０となっている。それ故、発光タイミングへの移行に伴い、非走査ラインに接続されている有機ＥＬ素子のカソードの電位がＶｃ０からＶｒｅｖに変化すれば、これらの有機ＥＬ素子のアノードの電位は以下のように変化する。
【００２６】
Ｖａ０　→　Ｖａ０　＋（Ｖｒｅｖ　−　Ｖｃ０）
即ち、寄生容量Ｃにおける電荷保存の法則よって、有機ＥＬ素子のカソードにおける電位の変動分だけアノード側の電位が変化する為である。
同様にして、走査ラインに接続されている有機ＥＬ素子のカソードの電位がＶｃ０からＶｃｓｃｎに変化すれば、これらの有機ＥＬ素子のアノードの電位は以下のように変化する。
【００２７】
Ｖａ０　→　Ｖａ０　＋（Ｖｃｓｃｎ　−　Ｖｃ０）
図２からも明らかな如く、発光カラムにおいて、走査ラインに接続されている有機ＥＬ素子のカソードは１つのみであり、他の残りの有機ＥＬ素子のカソードは、全て非走査ラインに接続されている。それ故、
非走査ライン接続カソードの数　＞　走査ライン接続カソードの数
となる。
【００２８】
また、当該発光カラムにおいて、これら全ての有機ＥＬ素子のアノードは、集線されて共通に接続されている。それ故、かかる共通アノードの電位は、ほぼ上記の非走査ラインに接続されている有機ＥＬ素子のアノードの電位となる。
つまり、
Ｖｃｓｃｎ　＜　Ｖｒｅｖ
なる条件が設定されていれば、そのカソードが走査ラインに接続されて走査状態にある有機ＥＬ素子には、非走査ラインに接続された他の有機ＥＬ素子の寄生容量を介してリーク電流が流れる。そして、電圧Ｖｒｅｖと電圧Ｖｃｓｃｎとの差分電位が、有機ＥＬ素子の発光時における順方向電圧降下の閾値を上回っていれば、かかるリーク電流によって当該走査状態にある有機ＥＬ素子からの発光が得られることになる。
【００２９】
一方、陽極ドライバＩＣ２０における電圧Ｖａｓｃｎと、陰極ドライバＩＣ３０における電圧Ｖｃｓｃｎとの関係を
Ｖａｓｃｎ　＜　Ｖｃｓｃｎ
のように設定しておけば、非発光カラムに接続されている有機ＥＬ素子にとって逆方向電圧が印加されることになる。それ故、非発光カラムに接続されている有機ＥＬ素子が発光することはない。なお、前記逆方向電圧の大きさは、有機ＥＬ素子の品質に影響を及ぼさない程度に設定されていることはもちろんである。また、かかる条件は、後述する図４に示す事例についても同様とする。
【００３０】
すなわち、図２に示す事例では、２ライン目の１カラム目と、２ライン目のｍカラム目のそれぞれの交点にある有機ＥＬ素子に、各々のカラムの非走査ラインに接続された有機ＥＬ素子の寄生容量を介してリーク電流が流れ、これらの有機ＥＬ素子（図２の有機ＥＬ表示パネル１０の中で白地で示す）が発光する。
以上説明した如く、本実施例では発光カラムにおいて容量結合された非発光素子の寄生容量のリーク電流を発光素子の駆動電流として利用している。それ故、従来、陽極ドライバＩＣの各カラム毎に必要とされた定電流駆動回路が不要となり陽極ドライバＩＣの簡易化を図ることができる。
【００３１】
なお、初期化処理におけるアノード側設定電圧Ｖａ０、及びカソード側設定電圧Ｖｃ０の値は、実際の設計条件に応じて種々の値を採り得るものとする。例えば、Ｖａ０の値を有機ＥＬ素子の発光閾値電圧の近傍に設定し、Ｖｃ０の値をアース電位以下に設定すれば、発光開始に到るまでの時間を短縮しかつ寄生容量を介するリーク電流の値を増加させて、発光素子におけるレスポンス及び発光輝度を増加させることもできる。
【００３２】
次に、本発明を適用した表示パネル駆動装置の第２の実施例として、発光素子に有機ＥＬ素子を用いた有機ＥＬ表示パネル駆動装置を図４のブロック図に示す。
同図において、表示パネルとしての有機ＥＬ表示パネル１１には、有機ＥＬ素子ＥＬＤが（ｎライン×ｍカラム）のマトリクス状に敷設されている。
【００３３】
有機ＥＬ素子は、有機ＥＬ発光層を列電極としてのアノード電極と、行電極としてのカソード電極で挟持する構成となっており、通常のダイオードと同様に整流特性を有している。また、有機ＥＬ素子は、有機ＥＬ発光層において寄生容量を有するため、図４に示される如く、各々の有機ＥＬ素子ＥＬＤには寄生容量Ｃが等価的に並列接続されることになる。表示パネルのマトリクスを構成する各々の有機ＥＬ素子のアノード電極は、マトリクスの各カラム毎に集線されて、列電極駆動回路としての陽極ドライバＩＣ２１に接続される。また、各々のカソード電極は、マトリクスの各ライン毎に集線されて、行電極駆動回路としての陰極ドライバＩＣ３１に接続される。
【００３４】
陽極ドライバＩＣ２１は、スイッチ素子Ｓａ１からＳａｍ、及び各々のスイッチ素子毎にプルダウン抵抗Ｒａを含む構成となっている。スイッチ素子Ｓａ１からＳａｍは、表示パネルの各々のカラムに対応し、制御回路（図示せず）から供給される陽極ドライバ制御信号によってその切換動作が制御される。また、プルダウン抵抗Ｒａはアースに接続されている。
【００３５】
一方、陰極ドライバＩＣ３１は、スイッチ素子Ｓｃ１からＳｃｎ、及び各々のスイッチ素子毎にプルアップ抵抗Ｒｃ、プルダウン抵抗Ｒｇを含む構成となっている。スイッチ素子Ｓｃ１からＳｃｎは、表示パネルの各々のラインに対応し、制御回路から供給される陰極ドライバ制御信号によってその切換動作が制御される。また、プルアップ抵抗Ｒｃは、陰極ドライバ電源回路（図示せず）から供給される電圧Ｖｃに接続されており、プルダウン抵抗Ｒｇはアースに接続されている。
【００３６】
次に、図４のブロック図に示される回路の動作を、図５に示す動作タイミングチャートを参照しつつ説明する。
図５のタイミングチャートにおいて、５Ａは、制御回路から各ドライバＩＣの各々に供給されるドライバ制御信号に含まれるライン同期パルスであり、かかるライン同期パルスの１周期内で表示パネルの１ライン分の発光動作が行われる。
【００３７】
なお、ライン同期パルスの１周期は、前述の第１の実施例と同様に、リセットタイミングと発光タイミングの２つの期間から構成されており、リセットタイミングは表示パネル上の各発光素子についての初期化処理が行われる期間であり、発光タイミングは所望の発光素子を実際に点灯させる処理が行われる期間である。
【００３８】
また、５Ｂは、陽極ドライバＩＣ２１から表示パネルの各々のカラムへの出力の様子を示している。５Ｃ，５Ｄは、陰極ドライバＩＣ３１から表示パネルの各々のラインへの出力の変化を表しており、５Ｃは選択された走査ラインの出力を、５Ｄは走査ライン以外の他の非走査ラインの出力をそれぞれ表している。
先ず、ライン同期パルスの１周期内において、ライン同期パルスに続くリセットタイミングが開始されると、陽極ドライバＩＣ２１、及び陰極ドライバＩＣ３１において、表示パネルの初期化処理が為される。
【００３９】
初期化処理の具体的な内容は次の通りである。すなわち、陽極ドライバＩＣ２１のスイッチ素子Ｓａ１からＳａｍの全てがオンとされ、表示パネルの全てのカラムに接続されている有機ＥＬ素子のアノード電位がアース電位とされる。一方、陰極ドライバＩＣ３１のスイッチ素子Ｓｃ１からＳｃｎの全てがプルダウン抵抗Ｒｇ側に切り換えられ、全てのラインに接続されている有機ＥＬ素子のカソード電位がアース電位とされる。これによって、表示パネル上の全ての寄生容量Ｃにおける残留電荷の一様化が為されることになる。
【００４０】
その後、リセットタイミングが終了して発光タイミングに移行すると、陰極ドライバＩＣ３１は、走査ラインに該当するスイッチ素子をプルダウン抵抗Ｒｇ側に保持する（図５Ｃ）。そして、その他の非走査ラインのスイッチ素子を、プルアップ抵抗Ｒｃ側に切り換え、非走査ラインに接続された有機ＥＬ素子のカソードに電圧Ｖｃを供給する（図５Ｄ）。
【００４１】
一方、陽極ドライバＩＣ２１においては、発光タイミングへの移行に伴い、制御回路から供給される画像データに基づいて、発光カラムに該当するスイッチ素子をオフとし、それ以外の非発光カラムについてはスイッチ素子をオンに維持する。これによって、発光カラムに接続されている有機ＥＬ素子のアノードはオープンとなり、非発光カラムに接続されている有機ＥＬ素子のアノード電位はアース電位に保持される（図５Ｂ）。
【００４２】
ところで、先のリセットタイミングにおける初期化処理によって、表示パネル上の全ての有機ＥＬ素子のアノードの電位、及びカソードの電位はアース電位（０ｖ）となっている。それ故、オープンとされた発光カラムにおいて、非走査ラインに接続されている有機ＥＬ素子のカソードの電位が０ｖからＶｃに変化すれば、これらの有機ＥＬ素子のアノードの電位も寄生容量Ｃにおける電荷保存の法則より、カソードにおける電位の変動分だけ変化する。
【００４３】
また、走査ラインに接続されている有機ＥＬ素子のカソード電位はアース電位に維持されているが、そのアノードは非走査ラインに接続された有機ＥＬ素子のアノードと共通に接続されている。それ故、非走査素子のアノードから走査素子のアノードに電荷の移動が起こり、最終的に、非走査素子及び走査素子に共通のアノード電位が決定される。
【００４４】
かかる共通のアノード電位は、走査ラインに接続されている１つの有機ＥＬ素子の寄生容量と、その他の非走査ラインに接続されている（ｎ−１）個の有機ＥＬ素子の並列寄生容量との直列接続によって電圧Ｖｃを分割した値となる。それ故、かかる共通のアノード電位をＶａｃｏｍとし、１つの有機ＥＬ素子の寄生容量Ｃが有する静電容量値をＣ０とおくと、
Ｖａｃｏｍは、
2004138978.tif 000003
と規定できる。
【００４５】
従って、そのカソードが走査ラインに接続された走査状態にある有機ＥＬ素子には、かかる共通のアノード電位Ｖａｃｏｍ≒Ｖｃによって、非走査ラインに接続された有機ＥＬ素子の寄生容量を介してリーク電流が流れる。そして、電圧Ｖｃが有機ＥＬ素子の発光時における順方向電圧降下の閾値以上であれば、かかるリーク電流によって走査状態にある有機ＥＬ素子からの発光が得られる。
【００４６】
一方、非発光カラムに接続されている全ての有機ＥＬ素子素子は、そのアノードが接地されており、そのカソードには、逆バイアス電圧として電圧Ｖｃが印加されているため発光することはない。
従って、図４に示す事例では、２ライン目の１カラム目と、２ライン目のｍカラム目のそれぞれの交点にある有機ＥＬ素子（図４の有機ＥＬ表示パネル１１の中で白地で示す）が、各々のカラムの非走査ラインに接続された有機ＥＬ素子の寄生容量を介して流れるリーク電流によって発光する。
【００４７】
以上説明した如く、本実施例では発光カラムにおいて容量結合された非発光素子の寄生容量のリーク電流を発光素子の駆動電流として利用している。それ故、従来、陽極ドライバＩＣの各カラム毎に必要とされた定電流駆動回路が不要となり陽極ドライバＩＣの簡易化を図ることができる。
また、本実施例では、リセットタイミングの初期化処理における設定電位、走査ラインに供給する駆動電位、及び非発光カラムに供給する制御電位をアース電位に設定している。それ故、陽極ドライバＩＣ２０、及び陰極ドライバＩＣ３０が必要とする電源電圧の種類が削減され、電源回路の簡略化、小型化を図ることが可能となる。
【００４８】
本発明の実施の形態は、以上説明した各実施例に限定されるものではない。
例えば、図３Ａ及び図５Ａに示すライン同期パルスは、その一周期内におけるリセットタイミングと発光タイミングの走査を複数回繰り返すパターンとしても良い。かかる構成を採ることにより、制御回路から供給される画像データの階調設定が高いときにはその繰り返し回数を増加させ、階調設定が低いときは繰り返し回数を減少させることで、画像データの階調指令に応じた階調表示を実現することができる。
【００４９】
なお、１ラインの走査期間内に複数回のリセットタイミングと発光タイミングの走査を行う上記の構成を採用すれば、その複数の走査に対してそれぞれの走査時間を独立に制御することで、画像データについてのいわゆるガンマ補正を行うことも可能となる。
また、発光タイミングにおいて、発光カラムに接続される陽極ドライバＩＣ内蔵の抵抗素子を、例えば、アナログスイッチにより抵抗値の調整が可能ないわゆるアクティブ・アッテネータで構成し、画像データの階調指令に応じて抵抗素子の値を調整する構成としても良い。かかる構成によっても、画像データの階調指令に応じた階調表示を実現することが可能となる。
【００５０】
また、以上説明した実施例においては、発光素子として有機ＥＬ素子を用いた例を示したが、本発明の実施はかかる事例に限定されるものではない。
【図面の簡単な説明】
【図１】図１は、従来の有機ＥＬ表示パネル駆動装置における表示パネル及び駆動回路の構成を示すブロック図である。
【図２】図２は、本発明の実施の形態による有機ＥＬ表示パネル駆動装置の第１の実施例を示すブロック図である。
【図３】図３は、図２に示す有機ＥＬ表示パネルの駆動装置における動作のタイミングを表すタイミングチャートである。
【図４】図４は、本発明の実施の形態による有機ＥＬ表示パネル駆動装置の第２の実施例を示すブロック図である。
【図５】図５は、図４に示す有機ＥＬ表示パネルの駆動装置における動作のタイミングを表すタイミングチャートである。
【符号の説明】
１，１０，１１　有機ＥＬ表示パネル
２，２０，２１　陽極ドライバＩＣ
３，３０，３１　陰極ドライバＩＣ
【図１】
2004138978.tif 000004
【図２】
2004138978.tif 000005
【図３】
2004138978.tif 000006
【図４】
2004138978.tif 000007
【図５】
2004138978.tif 000008